(57)【要約】　　　（修正有）【課題】放熱効果に優れ、組立が簡便で、且つ発光輝度を向上させるパワーＬＥＤ光源モジュールを提供する。【解決手段】パワーＬＥＤ光源モジュールは、台体１０、ＬＥＤ、マスク３０から構成され、そのうち、台体は、円柱形で、凹部１０１を形成し、その凹部内には凸塊１０２が成形され、また、台体周辺縁には間隔をあけて通孔１０３が貫設され、側壁面にはネジ紋部１０４が設置され、使用時に連結され、ＬＥＤの底面には回路板２１が結合され、回路板上には穿孔２１１が貫設され、そこにＬＥＤ底面を当て、台体凹部内の凸塊上に設置される。また、この回路板上にはコード２２が設置され、台体に挿入される。また、マスクはＬＥＤ前端に結合され、光源を導く。【選択図】　　図３
0003098687.tif 000002
【実用新案登録請求の範囲】
【請求項１】
主に台体、ＬＥＤ、マスクから構成されたパワーＬＥＤ光源モジュールにおいて、
前記台体は円柱形で、円柱形の内側に凹部を形成し、円柱形の頂面には通孔があり、また、円柱形の側面壁上にはネジ紋部が成形され、
底面が回路板と結合し、この回路板上には穿孔が貫設され、その底面を当て台体凹部の前記凸塊に設置し、また回路板上にはコードが設置され、それを台体に差込むＬＥＤと、
前記ＬＥＤ前端に結合固定し、光源を導き、これによって放熱し、また光源輝度が向上するマスクから構成されることを特徴とするパワーＬＥＤ光源モジュール。
【請求項２】
前記台体のネジ紋部は、連結台に設置したネジ紋部と相互に対応して螺合し、これによって結合が安定し、放熱面積が増大し、更に連結台内には回路板が設置されて電源を転換することを特徴とする請求項１記載のパワーＬＥＤ光源モジュール。
【請求項３】
前記台体側面壁上には、凸部が成形され、他に台体底面には凹槽が成形され、放熱面積を増大して、放熱することを特徴とする請求項１記載のパワーＬＥＤ光源モジュール。
【考案の詳細な説明】
【０００１】
【考案の属する技術分野】
本考案は、パワーＬＥＤ光源モジュールの技術分野に属する。
【０００２】
【従来の技術】
従来公知のパワーＬＥＤ光源モジュールは、ＬＥＤ１下方で、回路板２（図１参照）で結合する。この回路板２（アルミ板もしくは金属板でもよい）によって放熱される。
【０００３】
【考案が解決しようとする課題】
しかしながら、この種のパワーＬＥＤ光源モジュールは、放熱効果を備えているものの、放熱面積が足りないため、その効果は悪い。放熱効果の優劣は、発光効率に正比例し、放熱効果が芳しくない場合、発光効果もよくない。そのため、使用において、実用的でない。
本考案は、上記の問題点に鑑みてなされたもので、その課題は、取付が簡単で、
組立が簡便で、放熱効果に優れ、且つ、発光輝度・光源輝度を向上させ、大量に使用することができる便利なパワーＬＥＤ光源モジュールを提供することにある。
【０００４】
【課題を解決するための手段】
上記課題を解決するため、請求項１の考案は、主に台体、ＬＥＤ、マスクから構成されたパワーＬＥＤ光源モジュールにおいて、前記台体は円柱形で、円柱形の内側に凹部を形成し、円柱形の頂面には通孔があり、また、円柱形の側面壁上にはネジ紋部が成形され、底面が回路板と結合し、この回路板上には穿孔が貫設され、その底面を当て台体凹部の前記凸塊に設置し、また回路板上にはコードが設置され、それを台体に差込むＬＥＤと、前記ＬＥＤ前端に結合固定し、光源を導き、これによって放熱し、また光源輝度が向上するマスクから構成されることを特徴とするパワーＬＥＤ光源モジュールである。
請求項２の考案は、前記台体のネジ紋部は、連結台に設置したネジ紋部と相互に対応して螺合し、これによって結合が安定し、放熱面積が増大し、更に連結台内には回路板が設置されて電源を転換することを特徴とする請求項１記載のパワーＬＥＤ光源モジュールである。
請求項３の考案は、前記台体側面壁上には、凸部が成形され、他に台体底面には凹槽が成形され、放熱面積を増大して、放熱することを特徴とする請求項１記載のパワーＬＥＤ光源モジュールである。
すなわち、上記の各考案のパワーＬＥＤ光源モジュールは、台体、ＬＥＤ、マスクから構成され、そのうち、台体は、円柱形で、凹部を形成し、その凹部内には凸塊が成形され、また台体周辺縁には間隔をあけて通孔が貫設され、側壁面にはネジ紋部が設置され、使用時に連結される。ＬＥＤの底面には回路板が結合され、回路板上には穿孔が貫設され、そこにＬＥＤ底面を当て、台体凹部内の凸塊上に設置され、また、この回路板上にはコードが設置され、台体に挿入され、マスクはＬＥＤ前端に結合され、光源を導くことを特徴とするものである。
【０００５】
【考案の実施の形態】
以下、本考案パワーＬＥＤ光源モジュールの実施例を図面に基づいて説明する。
先ず、図２〜５が示すように、本考案は、台体１０、ＬＥＤ２０、マスク３０から構成される。そのうち、台体１０は、円柱形状で、その中央部は円筒状の凹部１０１が成形され、その凹部１０１内のほぼ中央部には凸塊１０２が設置される。その台体１０周辺縁には間隔をあけて複数の通孔１０３が成形され、台体１０側面壁上にはネジ紋部１０４及び凸部１０９が形成される。別に、台体１０の底面には各型の凹槽１０５、１０６、１０７及びコード設置槽１０８が成形される。
【０００６】
ＬＥＤ２０は、底面に回路板２１が結合され、その回路板２１上には穿孔２１１が貫設され、そこにＬＥＤ２０底面を当て、台体の凹部１０１の凸塊上に設置する。また、回路板２１上にはコード２２が設置され、台体１０に設置した後、底面のコード設置槽１０８から出す。
【０００７】
マスク３０（クリアーマスクもしくはダークマスクを採用する）はＬＥＤ２０前端に結合して光源を導き、これによって放熱に優れ、光源輝度を高めることができる。
【０００８】
本考案の実施例の特徴は、図２〜５に示して説明したように、ＬＥＤ２０底面に回路板２１を結合し、その回路板２１上に穿孔２１１を設置することにより、ＬＥＤ２０底面は台体の凹部１０１凸塊１０２上に設置され、この回路板２１上にコード２２が設置され、台体１０に差込む。続いて台体１０周辺縁に間隔をあけて設置された複数の通孔１０３、台体１０底面に設置された各型凹槽１０５、１０６、１０７及び台体１０側面壁上に設置された凸部１０９によって、大幅に放熱面積が増大し、熱阻害を下げ、更には、効率型ＬＥＤの発光効率が常温時の使用で、０．３Ｗから５Ｗに向上し、高単粒ＬＥＤの発光輝度も向上する。
【０００９】
図６に示すとおり、本考案は、台体１０側面壁に設置されたネジ紋部１０４と連結台４０に設置されたネジ紋部４０１を相互にネジ止めする。これによって安定した結合になり、放熱面積が増大する。別に連結台４０の内部には回路板５０が設置され、電源を切り替える。
【００１０】
また、図７に示すとおり、本考案の実施例として、３個又は複数のパワーＬＥＤ光源モジュールの各台体１０側面壁に設置したネジ紋部１０４と板体６０が相互に対応してネジ止めされ、大量の使用時に用いてもよい。
【００１１】
【考案の効果】
以上説明したように、本考案のパワーＬＥＤ光源モジュールは、台体、ＬＥＤ、マスクから構成され、そのうち、台体は円柱形で、その内側に凹部を形成し、その凹部内には凸塊が成形される。また台体周辺縁には間隔をあけて通孔が貫設され、側壁面にはネジ紋部が設置されて使用時に連結され、ＬＥＤの底面には回路板が結合され、回路板上には穿孔が貫設され、そこにＬＥＤ底面を当て、台体凹部内の凸塊上に設置する。また、この回路板上にはコードが設置され、台体に挿入され、また、マスクはＬＥＤ前端に結合され、光源を導かれるので、それにより、放熱効果に優れ、組立が簡便で、且つ発光輝度を向上させるという効果が得られる。
【図面の簡単な説明】
【図１】従来公知のパワーＬＥＤ光源モジュールの側面図である。
【図２】本考案の実施例の斜視図である。
【図３】本考案の実施例の部品を分解した斜視図である。
【図４】本考案の実施例の側断面である。
【図５】本考案の実施例の底面図である。
【図６】本考案の別の実施例の断面図である。
【図７】本考案の更に別の実施例の使用状態を示す指示図である。
【符号の説明】
１　ＬＥＤ
２　回路板
１０　台体
１０１　凹部
１０２　凸塊
１０３　通孔
１０４　ネジ紋部
１０５　凹槽
１０６　凹槽
１０７　凹槽
１０８　コード設置槽
１０９　凸部
２０　ＬＥＤ
２１　回路板
２１１　穿孔
２２　コード
３０　マスク
４０　連結台
４０１　ネジ紋部
５０　回路板
６０　板体
【図１】
0003098687.tif 000003
【図２】
0003098687.tif 000004
【図３】
0003098687.tif 000005
【図４】
0003098687.tif 000006
【図５】
0003098687.tif 000007
【図６】
0003098687.tif 000008
【図７】
0003098687.tif 000009